【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
(Ａ)ソース接点と、ドレイン接点と、少なくとも１つのゲート電極と、ソース接点とドレイン接点との間に配置してあり、これらの接点と直接電気接触している電気化学的にアクティブな要素であり、トランジスタ・チャネルを含み、そのレドックス状態の変化を通じてその導電率を電気化学的に変える能力を有する有機材料からなる材料で作られている電気化学的にアクティブな要素と、電気化学的にアクティブな要素および前記少なくとも１つのゲート電極との間に介在し、それらと直接的に電気接触しており、電気化学的にアクティブな要素と前記ゲート電極と間の電子流を阻止するようになっている凝固電解液とを含み、ソース接点およびドレイン接点間の電子の流れが、前記ゲート電極に印加された電圧によって制御可能である電気化学トランジスタ装置と、（Ｂ）(ｉ)少なくとも１つの酸化状態において導電状態になる少なくとも１つの材料と、(ii)少なくとも１つのエレクトロクロミック材料とを含み、前記材料(ｉ)および(ii)が、同じであっても異なっていてもよい少なくとも１つのエレクトロクロミック要素と、このエレクトロクロミック要素と直接的に電気接触している凝固電解液の少なくとも１つの層と、間に電圧を印加されるようになっている少なくとも２本の電極とを含み、前記電極の各々が、前記電解液層および前記エレクトロクロミック要素から選ばれた構成要素と直接的に電気接触しているエレクトロクロミック装置とからなり、この構成において、電気化学トランジスタ装置Ａの前記ソース、ドレイン接点のうちの１つが、エレクトロクロミック装置Ｂの電極のうちの１つと電気接触しているピクセル装置。
【請求項２】
電気化学トランジスタ装置Ａのソース接点が、エレクトロクロミック装置Ｂの電極のうちの１つと電気接触している、請求項１に記載の電気化学ピクセル装置。
【請求項３】
電気化学トランジスタ装置Ａのドレイン接点が、エレクトロクロミック装置Ｂの電極のうちの１つと電気接触している、請求項１に記載の電気化学ピクセル装置。
【請求項４】
電気化学トランジスタ装置Ａの前記ソース、ドレイン接点、ゲート電極および電気化学的にアクティブな要素が１つの共通平面に配置されている、請求項１〜３のいずれか１つによる電気化学ピクセル装置。
【請求項５】
電気化学トランジスタ装置Ａにおいて、凝固電解液の連続または中断した層が、電気化学的にアクティブな要素を覆っており、また、少なくとも部分的に前記ゲート電極を覆っている、請求項４に記載の電気化学ピクセル装置。
【請求項６】
電気化学トランジスタ装置Ａにおいて、前記ソース、ドレイン接点およびゲート電極のうちの少なくとも１つが、電気化学的にアクティブな要素と同じ材料から形成されている、請求項１〜５のいずれか１つによる電気化学ピクセル装置。
【請求項７】
電気化学トランジスタ装置Ａにおいて、前記ソース、ドレイン接点およびゲート電極のすべてが、電気化学的にアクティブな要素と同じ材料から形成されている、請求項６に記載の電気化学ピクセル装置。
【請求項８】
電気化学トランジスタ装置Ａにおいて、ソース、ドレイン接点および電気化学的にアクティブな要素が、有機材料からなる前記材料の連続部片から形成されている、請求項６または７による電気化学ピクセル装置。
【請求項９】
エレクトロクロミック装置Ｂにおいて、電極が、エレクトロクロミック要素と同じ材料から形成されている、請求項１〜８のいずれか１つによる電気化学ピクセル装置。
【請求項１０】
電気化学トランジスタ装置Ａのソース、ドレイン接点、電気化学的にアクティブな要素およびゲート電極、そして、エレクトロクロミック装置Ｂのエレクトロクロミック要素および電極が、すべて、同じ材料から形成されている、請求項１〜９のいずれか１つによる電気化学ピクセル装置。
【請求項１１】
電気化学トランジスタ装置Ａにおいて、有機材料がポリマーである、請求項１〜１０のいずれか１つによる電気化学ピクセル装置。
【請求項１２】
エレクトロクロミック装置Ｂにおいて、エレクトロクロミック材料が、エレクトロクロミック・ポリマーからなる、請求項１〜１１のいずれか１つによる電気化学ピクセル装置。
【請求項１３】
電気化学トランジスタ装置Ａにおける有機材料がポリマーであり、エレクトロクロミック装置Ｂにおけるエレクトロクロミック材料が、エレクトロクロミック・ポリマーからなる、請求項１１または１２による電気化学ピクセル装置。
【請求項１４】
エレクトロクロミック装置Ｂにおけるエレクトロクロミック・ポリマーが、電気化学トランジスタ装置Ａにおけるポリマーと同じ材料である、請求項１３による電気化学ピクセル装置。
【請求項１５】
エレクトロクロミック装置Ｂに存在する任意のエレクトロクロミック・ポリマーおよび電気化学トランジスタ装置Ａに存在する任意のポリマーが、ポリチオフェン、ポリピロール、ポリアニリン、ポリイソチアナフタレン、ポリフェニレン・ビニレンおよびそれらのコポリマーからなるグループから選択される、請求項１１〜１４のいずれか１つによる電気化学ピクセル装置。
【請求項１６】
エレクトロクロミック装置Ｂに存在する任意のエレクトロクロミック・ポリマーおよび電気化学トランジスタ装置Ａに存在する任意のポリマーが、３,４−ジアルコキシチオフ
ェンのポリマーまたはコポリマーであり、２つのアルコキシル基が、同じでも異なっていてもよく、または、一緒になって、場合によっては置換されているオキシ−アルキレン−オキシ・ブリッジを示していてもよい、請求項１５による電気化学ピクセル装置。
【請求項１７】
３,４−ジアルコキシチオフェンの前記ポリマーまたはコポリマーが、ポリ（３,４−メチレンジオキシチオフェン）、ポリ（３,４−メチレンジオキシチオフェン）誘導体、ポ
リ（３,４−エチレンジオキシチオフェン）、ポリ（３,４−エチレンジオキシチオフェン）誘導体、ポリ（３,４−プロピレンジオキシチオフェン）、ポリ（３,４−プロピレンジオキシチオフェン）誘導体、ポリ（３,４−ブチレンジオキシチオフェン）、ポリ（３,４−ブチレンジオキシチオフェン）誘導体およびそれらのコポリマーからなるグループから選択される、請求項１６による電気化学ピクセル装置。
【請求項１８】
エレクトロクロミック装置Ｂにおけるエレクトロクロミック材料および／または電気化学トランジスタ装置Ａにおける有機材料が、ポリアニオン化合物を含む、請求項１〜１７のいずれか１つによる電気化学ピクセル装置。
【請求項１９】
前記ポリアニオン化合物が、ポリ(スチレン・スルホネート）またはその塩である、請
求項１８による電気化学ピクセル装置。
【請求項２０】
電気化学トランジスタ装置Ａにおける凝固電解液および／またはエレクトロクロミック装置Ｂにおける凝固電解液が、バインダを含む、請求項１〜１９のいずれか１つによる電気化学ピクセル装置。
【請求項２１】
前記バインダが、ゼラチン、ゼラチン誘導体、ポリアクリル酸、ポリメタクリル酸、ポリ（ビニルピロリドン）、多糖類、ポリアクリルアミド、ポリウレタン、ポリプロピレン酸化物、ポリエチレン酸化物、ポリ(スチレン・スルホン酸)、ポリ（ビニルアルコール）およびそれらの塩およびコポリマーからなるグループから選択されたゲル化剤である、請求項２０による電気化学ピクセル装置。
【請求項２２】
電気化学トランジスタ装置Ａにおける凝固電解液および／またはエレクトロクロミック装置Ｂにおける凝固電解液が、イオン塩を含む、請求項１〜２１のいずれか１つによる電気化学ピクセル装置。
【請求項２３】
電気化学トランジスタ装置Ａおよびエレクトロクロミック装置Ｂにおいて同じ凝固電解液が使用される、請求項１〜２２のいずれか１つによる電気化学ピクセル装置。
【請求項２４】
支持体上に配置された、請求項１〜２３のいずれか１つによる電気化学ピクセル装置。
【請求項２５】
前記支持体が、ポリエチレン・テレフタレート、ポリエチレン・ナフタレン・ジカルボキシレート、ポリエチレン、ポリプロピレン、ポリカーボネート、紙、コート紙、樹脂コート紙、積層紙、板紙、段ボール紙およびガラスからなるグループから選択される、請求項２４による電気化学ピクセル装置。
【請求項２６】
前記支持体が、反射性である、請求項２４または請求項２５による電気化学ピクセル装置。
【請求項２７】
エレクトロクロミック装置Ｂにおいて、電極およびエレクトロクロミック要素が、１つの共通平面に横に並んで配置されている、請求項１〜２６のいずれか１つによる電気化学ピクセル装置。
【請求項２８】
エレクトロクロミック装置Ｂにおいて、電極およびエレクトロクロミック要素が、垂直方向に配置されている、請求項１〜２６のいずれか１つによる電気化学ピクセル装置。
【請求項２９】
請求項１〜２８のいずれか１つによる複数の電気化学ピクセル装置からなるマトリックス。
【請求項３０】
電気化学ピクセル装置が、各々、１つのゲート電極を有する、請求項２９によるマトリックス。
【請求項３１】
電気化学ピクセル装置が、各々、少なくとも２つのゲート電極を有する、請求項２９によるマトリックス。
【請求項３２】
各電気化学ピクセル装置のゲート電極のうちの１つが、抵抗を備えており、ピクセル間のクロストークを最小限に抑える、請求項３１によるマトリックス。
【請求項３３】
請求項２９〜３２のいずれか１つによるマトリックスからなるピクセル化ディスプレイ。
【請求項３４】
前記接点、電極、電子化学的にアクティブな要素、エレクトロクロミック要素および電解液を支持体上に付着させる、請求項１による電気化学ピクセル装置を製造する方法。
【請求項３５】
前記接点、電極、電気化学的にアクティブな要素、エレクトロクロミック要素および／または電解液を印刷技術によって付着させる、請求項３４による方法。
【請求項３６】
前記接点、電極、電気化学的にアクティブな要素、エレクトロクロミック要素および電解液を、コーティング技術によって付着させる、請求項３４による方法。
【請求項３７】
電気化学トランジスタ装置Ａの前記有機材料および／またはエレクトロクロミック装置Ｂの前記エレクトロクロミック要素が、ポリマーからなり、現場重合によって支持体上に前記ポリマーを付着させる、請求項３４〜３６のいずれか１つによる方法。
【請求項３８】
減法法を使用して接点、電極、電気化学的にアクティブな要素およびエレクトロクロミック要素のうち任意の１つをパターン化する、請求項３４〜３７のいずれか１つによる方法。
【請求項３９】
前記パターン化が、化学エッチングによって実施される、請求項３８による方法。
【請求項４０】
前記パターン化が、ガス・エッチングによって実施される、請求項３８による方法。
【請求項４１】
前記パターン化が、スクラッチング、スコーリング、スクレーピングおよびミリングを含む機械式手段によって実施される、請求項３８による方法。
【請求項４２】
前記電気化学ピクセル装置が請求項２〜２８のいずれか１つに記載されているものである、請求項３４〜４１のいずれか１つによる方法。